(57)【要約】      （修正有）【課題】収納と携帯に便利な箸の提供。【解決手段】箸１は、第一殼体２、第二殼体３及び固定体を含み、そのうち、第一殼体に通路が穿設され、通路に第二殼体を穿通させることができ、第二殼体内に収容空間が穿設され、収容空間内に固定体が設置され、固定体の凹部に弾性部材と突起体が収容され、突起体の一端が弾性部材に付勢され、且つ他端が第二殼体に抵触され、且つ突起体が第二殼体の孔部に穿出され、突起体が第一殼体の当接辺に当たり、第二殼体が第一殼体の当接辺に固定され、使用者が便利に使用と収納を行うことができる。【選択図】図１
0003140510.tif 000002
【実用新案登録請求の範囲】
【請求項１】
第一殼体、第二殼体及び固定体を含み、そのうち、前記第一殼体に通路が穿設され、前記通路に前記第二殼体を穿通させることができ、前記第二殼体内に収容空間が穿設され、そのうち、前記収容空間内に前記固定体が設置され、前記固定体の適切な位置に凹部が設けられ、前記凹部内に弾性部材と突起体が収容され、前記突起体の一端が弾性部材に付勢され、且つ他端が第二殼体に抵触され、且つ突起体が第二殼体の孔部に穿出され、前記突起体が前記第一殼体の当接辺に当たり、前記第二殼体が前記第一殼体の当接辺に固定され、使用者が便利に使用と収納ができることを特徴とする、箸。        
【請求項２】
前記第一殼体の一端に蓋体を増設し、箸の第一殼体に第二殼体を穿通させ、且つ挿嵌固定させた後、蓋体を第一殼体に被せ、箸の美観と全体性を向上し、且つ収納後に前記第二殼体が前記第一殼体から脱落しないようにすることができることを特徴とする、請求項１に記載の箸。
【請求項３】
前記弾性部材がバネ、弾性板片或いは関連の弾性を備えた部材のいずれかとすることができることを特徴とする、請求項１に記載の箸。       
【請求項４】
前記突起体の適切な位置に張り出し部が設けられ、前記張り出し部は前記第二殼体の孔部よりやや大きいものとし、前記突起体が張り出し部により第二殼体に抵触され、前記突起体が前記第二殼体の孔部から抜け落ちないよう構成したことを特徴とする、請求項１に記載の箸。
【請求項５】
前記第二殼体が前記突起体により前記第一殼体の当接辺に固定され、前記第二殼体を第一殼体の通路に収納したいときは、前記突起体上を押して前記突起体を前記収容空間内に引っ込め、前記第二殼体を前記第一殼体の通路内に押し戻して収納することを特徴とする、請求項１に記載の箸。       
【考案の詳細な説明】
【技術分野】
【０００１】
本考案は箸に関し、特に、使用者が手軽に収納して携帯することができる、箸に関する。
【背景技術】
【０００２】
箸は現在の日常生活における飲食時に必ず使用する飲食器具の一つとなっているが、コストを抑えるため、現在多くのレストランや食堂で使用されているのはほとんどが使い捨ての竹箸であり、メーカーは竹箸の外観をきれいに見せる必要があるため、使い捨て竹箸の製造時に往々にして二酸化硫黄等の漂白剤など多くの化学添加物を添加し、それにより使い捨て竹箸の美観を向上しているが、これでは人体の健康に大きな影響があり、また、使い捨て竹箸は使用後すぐに捨てられるため、自然生態環境へも影響を引き起こす。
【０００３】
二酸化硫黄等漂白剤で漂白された竹箸の使用を避けるため、自分で箸を携帯する人が増えており、レストランや食堂で食事をするとき、食べ物を挟み取る食器として自分で携帯した箸を使用すれば、化学添加物の健康への影響とゴミ増加を会費することができる。
【０００４】
しかしながら、上述の箸の使用時には、次のような問題があり、改善が待たれている。人々はすでに自分で箸を携帯して化学添加物の健康への影響を回避しているが、現在市場で販売されているプラスチック箸または鉄製箸はみな一体成形から成り、収納できない様式であるため、携帯時にかなり面倒で空間を占有してしまう。
【０００５】
このため、上述の問題と欠点をいかに解決するかが、本考案の考案者及び関連産業に従事するメーカーが改善を図り研究を重ねている技術的方向性である。
【考案の開示】
【考案が解決しようとする課題】
【０００６】
このため、本考案は上述の欠点に鑑みて、関連資料の検索と多方面での評価及び考慮を経て、関連産業における長年の経験に基づき試作と変更を重ね、この収納と携帯に便利な箸の実用新案の設計に至ったものである。
【０００７】
本考案の主な目的は、収納と携帯に便利な箸を提供することにある。    
【課題を解決するための手段】
【０００８】
本考案の箸は、第一殼体、第二殼体及び固定体を含み、前記第一殼体に通路が穿設され、前記通路に前記第二殼体を穿通させることができ、また、前記第二殼体内に収容空間が穿設され、前記収容空間内に前記固定体が設置され、前記固定体の適切な位置に凹部が設けられ、凹部内に弾性部材と突起体が設置され、前記弾性部材はバネ、弾性板片或いは関連の弾性を備えた装置のいずれかとすることができ、且つ、前記突起体の適切な位置に張り出し部が設けられ、前記張り出し部はは前記第二殼体の孔部よりやや大きいものとし、張り出し部の設置により前記突起体が前記第二殼体の孔部から抜け落ちないようにし、また、前記突起体の一端が弾性部材に付勢され、且つ他端が第二殼体に抵触され、それにより突起体を第二殼体の孔部から穿出させることができ、使用者が便利に使用と収納ができる。上述の技術により、従来の箸に存在する収納が不便という問題点を解決し、容易に収納できる実用的進歩性を達する。
【０００９】
本考案はさらに、前記第一殼体の一端に蓋体を増設し、箸の第一殼体に第二殼体を穿通させ、且つ挿嵌固定させた後、蓋体を第一殼体に被せ、箸の美観と全体性を向上し，且つ収納後に前記第二殼体が前記第一殼体から脱落しないようにすることができる。上述の技術により、本考案は美観と全体性がより向上され、従来の箸にはない実用性と進歩性が達せられる。  
【考案の効果】
【００１０】
本考案の使用時には従来品と比較して次のような利点が確実に存在する。すべての図を参照されたい。
一、本考案の箸１の第二殼体３内には収容空間３１が穿設され、前記収容空間３１内に弾性部材３４と突起体３５が収容され、前記突起体３５の一端が弾性部材３４により付勢され、且つ他端が第二殼体３に抵触され、且つ、突起体３５を第二殼体３の孔部３７から穿出させて前記突起体３５を第一殼体２の当接辺２２に当てて第二殼体３を第一殼体２に固定することができ、箸１を使用する必要がないときは、突起体３５上を押して前記突起体３５を前記収容空間３１内に引っ込ませ、第二殼体３を第一殼体２の通路２１内に押し戻して収納し、これにより携帯と収納の利便性という目的を達することができる。
二、本考案の箸１は第一殼体２にさらに蓋体４を増設することができ、箸１の第一殼体２に第二殼体３を穿置して挿嵌固定した後、蓋体４を第一殼体２に被せると、箸１の美観と全体性が向上され、且つ、収納後に前記第二殼体３が第一殼体２から抜け落ちるのを防ぐという目的を達することができる。    
【考案を実施するための最良の形態】
【００１１】
上述の目的及び効果を達するため、本考案が採用する技術手段及び構造について、以下、本考案の最良の実施例に基づき詳細に説明する。
【００１２】
図１、図２、図３に本考案の最良の実施例の立体図、立体分解図及び局部透視図をそれぞれ示す。これらの図からはっきりと分かるように、本考案の箸１は第一殼体２、第二殼体３及び固定体３２を含む。
【００１３】
第一殼体２は通路２１が穿設され、前記通路２１は第二殼体３を穿通させることができる。
【００１４】
第二殼体３は内部に収容空間３１が穿設され、前記収容空間３１内に固定体３２が設置され、前記固定体３２は斜面を備え、収容空間３１内に嵌入させることができ、且つ、前記固定体３２の適切な位置に凹部３３が設けられ、凹部３３内に弾性部材３４と突起体３５が設置される。前記弾性部材３４はバネ、弾性板片或いは関連の弾性を備えた部材のいずれかとすることができる。前記突起体３５の適切な位置に張り出し部３６が設けられ、前記張り出し部３６は前記第二殼体３の孔部３７よりやや大きいものとし、張り出し部３６の設置により前記突起体３５が前記第二殼体３の孔部３７から抜け落ちないようにする。前記突起体３５は一端が弾性部材３４に付勢され、且つ他端が第二殼体３に抵触され、さらに突起体３５を第二殼体３の孔部３７から穿出させて第一殼体２の当接辺２２に当たるようにすることで、前記突起体３５により前記第一殼体２と前記第二殼体３が固定され、使用者が便利に使用と収納を行うことができる。
【００１５】
さらに、前記第一殼体２の一端に蓋体４を増設し、箸１の第一殼体２に第二殼体３を穿置して挿嵌固定した後、蓋体４を第一殼体２に被せると、箸１の美観と全体性が向上され、且つ、収納後に前記第二殼体３が第一殼体２から抜け落ちるのを防ぐことができる。
【００１６】
上述の構造、組み立て設計に基づき、本考案の使用時の作動状況について以下で説明する。図３、図４、図５、図６に本考案の最良の実施例の局部透視図、実施例図一、二、三をそれぞれ示す。これらの図からはっきりと分かるように、本考案の箸１は使用時に、第一殼体２と第二殼体３が斜度を備えているため、第一殼体２と第二殼体３はその斜度を利用して係合させることができ、且つ、前記第二殼体３の収容空間３１内の突起体３５を第一殼体２の当接辺２２に当接させると、箸１を使用することができる。箸１を使用しないときは、突起体３５上を押して前記突起体３５を固定体３２内に引っ込ませ、第二殼体３を第一殼体２の通路２１内に押し戻して収納する。これにより収納と携帯の利便性という目的を達することができる。
【００１７】
以上で述べた説明は本考案の最良の実施例に基づくものであり、本考案の特許範囲を制限するものではなく、本考案の明細書及び図面の内容を運用した同等効果を得る変化はすべて、本考案の要旨の範囲内に含まれるものとみなす。
【００１８】
上述をまとめると、本考案の箸は使用時に確実にその効果と目的を達することができるため、実用性に優れた創作であり、実用新案登録出願の要件を満たしているため、法に基づきここに実用新案登録を出願するものである。
【図面の簡単な説明】
【００１９】
【図１】本考案の最良の実施例の立体図である。
【図２】本考案の最良の実施例の立体分解図である。
【図３】本考案の最良の実施例の局部示意図である。
【図４】本考案の最良の実施例の実施例図一である。
【図５】本考案の最良の実施例の実施例図二である。
【図６】本考案の最良の実施例の実施例図三である。
【符号の説明】
【００２０】
１        箸
２        第一殼体
２１      通路
２２      当接辺
３        第二殼体
３１      収容空間
３２      固定体
３３      凹部
３４      弾性部材
３５      突起体
３６      張り出し部
３７      孔部
４        蓋体
【図１】
0003140510.tif 000003
【図２】
0003140510.tif 000004
【図３】
0003140510.tif 000005
【図４】
0003140510.tif 000006
【図５】
0003140510.tif 000007
【図６】
0003140510.tif 000008